(57)【要約】【課題】例えば滅菌処理等に際して、高湿度の環境下に曝された場合でも、内視鏡の通気弁から内部へ水分が侵入するのを有効に防止することができる内視鏡用アダプタを提供すること。【解決手段】内視鏡用アダプタ１は、内視鏡が備える通気弁１８に装着され、通気弁１８を開通して内視鏡の内部と外部とを連通させる。内視鏡用アダプタ１は、本体部２と、フィルター３と、シールリング４とを有している。本体部２は、第１部材２１と、その上端開口を覆う第２部材２２と、通気弁１８の弁体１８３を押圧して移動させる第３部材２３とで構成されている。第３部材２３および／またはフィルター３は、その少なくとも一部に、水分子を結晶水として分子構造内に取り込み得る吸湿物質（特に、ＭｇＳＯ４・ｎＨ２Ｏ（ただし、０≦ｎ≦３）で表される硫酸マグネシウム）を主成分とする乾燥剤５を含有している。【選択図】　図２
2004073258.tif 000002
【特許請求の範囲】
【請求項１】
内視鏡の通気弁を開通させる際に該通気弁に装着する内視鏡用アダプタであって、
前記通気弁に装着される本体部と、
前記通気弁の弁体を押圧して移動させる押圧部材とを有し、
前記押圧部材は、その少なくとも一部に、水分子を結晶水として分子構造内に取り込み得る吸湿物質を主成分とする乾燥剤を含有することを特徴とする内視鏡用アダプタ。
【請求項２】
前記押圧部材は、取替え可能である請求項１に記載の内視鏡用アダプタ。
【請求項３】
前記押圧部材は、前記乾燥剤の吸湿に伴って、その色が変化し得るよう構成されている請求項１または２に記載の内視鏡用アダプタ。
【請求項４】
前記本体部の前記通気弁から流出入する気体が通過する部分に設置され、気体を透過させ液体を遮断する機能を有するフィルターを有する請求項１ないし３のいずれかに記載の内視鏡用アダプタ。
【請求項５】
前記フィルターは、その少なくとも一部に、前記乾燥剤を含有する請求項４に記載の内視鏡用アダプタ。
【請求項６】
内視鏡の通気弁を開通させる際に該通気弁に装着する内視鏡用アダプタであって、
前記通気弁に装着される本体部と、
前記本体部の前記通気弁から流出入する気体が通過する部分に設置されたフィルターとを有し、
前記フィルターは、その少なくとも一部に、水分子を結晶水として分子構造内に取り込み得る吸湿物質を主成分とする乾燥剤を含有することを特徴とする内視鏡用アダプタ。
【請求項７】
前記フィルターは、前記吸湿物質を含有する吸湿層と、前記吸湿層の少なくとも片面側に設けられ、気体を透過させ液体を遮断する撥水層とを有する請求項５または６に記載の内視鏡用アダプタ。
【請求項８】
前記撥水層は、フッ素系樹脂で構成された多孔質体である請求項７に記載の内視鏡用アダプタ。
【請求項９】
前記多孔質体は、フッ素系樹脂の繊維の集合体である請求項８に記載の内視鏡用アダプタ。
【請求項１０】
前記フィルターは、前記乾燥剤の吸湿に伴って、その色が変化し得るよう構成されている請求項５ないし９のいずれかに記載の内視鏡用アダプタ。
【請求項１１】
前記本体部には、前記通気弁から流出入する気体が通過する通気孔が形成され、
前記フィルターは、板状をなし、前記通気孔を塞ぐように設置されている請求項２ないし１０のいずれかに記載の内視鏡用アダプタ。
【請求項１２】
前記フィルターは、取替え可能である請求項２ないし１１のいずれかに記載の内視鏡用アダプタ。
【請求項１３】
前記本体部は、キャップ状をなし、前記通気弁を覆うように装着される請求項１ないし１２のいずれかに記載の内視鏡用アダプタ。
【請求項１４】
前記本体部と前記通気弁との間の気密性を確保するシール部材を有する請求項１ないし１３のいずれかに記載の内視鏡用アダプタ。
【請求項１５】
前記本体部には、前記通気孔が複数形成されている請求項１ないし１４のいずれかに記載の内視鏡用アダプタ。
【請求項１６】
前記乾燥剤の含有量は、１〜４０ｗｔ％である請求項１ないし１５のいずれかに記載の内視鏡用アダプタ。
【請求項１７】
前記乾燥剤は、粉末である請求項１ないし１６のいずれかに記載の内視鏡用アダプタ。
【請求項１８】
前記乾燥剤の平均粒径は、１〜３０μｍである請求項１７に記載の内視鏡用アダプタ。
【請求項１９】
前記吸湿物質は、硫酸マグネシウムである請求項１ないし１８のいずれかに記載の内視鏡用アダプタ。
【請求項２０】
前記硫酸マグネシウムは、ＭｇＳＯ４・ｎＨ２Ｏ（ただし、０≦ｎ≦３）で表される請求項１９に記載の内視鏡用アダプタ。
【発明の詳細な説明】
【０００１】
【発明の属する技術分野】
本発明は、内視鏡の通気弁を開通させる際に該通気弁に装着する内視鏡用アダプタに関する。
【０００２】
【従来の技術】
医療の分野では、消化管等の検査、診断などに、内視鏡が使用されている。この内視鏡の体腔内への細長い挿入部の内部には、ライトガイド、イメージガイド、電線ケーブル、各種チューブ類などの各種の長尺部材が挿入された構成になっている。内視鏡の挿入部が湾曲すると、これらの長尺部材同士の間に摩擦や押圧力を生じる。この摩擦や押圧力を低減して各長尺部材を保護するため、各長尺部材の周囲には、潤滑剤が配されている。
【０００３】
この内視鏡で用いられる潤滑剤には、潤滑性に優れることはもちろんのこと、その潤滑性が長期間に亘って維持され、さらに、繰り返し行われる内視鏡の滅菌処理等によっても変質、劣化し難いことが求められる。このような要求を満足する潤滑剤として、各種の固体潤滑剤が用いられている。
【０００４】
また、内視鏡は、繰り返し使用するものであり、使用の都度、洗浄・消毒・滅菌処理等を行う。例えば、この滅菌処理を過酸化水素ガスプラズマ滅菌により行う場合、ガスプラズマ滅菌装置では、内視鏡を収容した滅菌槽内を真空吸引して空気を排出した後、過酸化水素ガスが滅菌槽内に導入される。滅菌槽内が真空状態（減圧状態）になったとき、内視鏡の内部が密閉状態になっていると、内視鏡内部の圧力が外部（滅菌槽内）の圧力より高くなることにより、挿入部、特に、先端の湾曲部を被覆するゴム等の柔軟な部分が膨張し、損傷、破裂するおそれがある。
【０００５】
かかる不都合を防止するために、内視鏡にはその内部と外部とを連通し得る通気弁が設けられており、過酸化水素ガスプラズマ滅菌の際には、通気弁を開通するためのアダプタをこの通気弁に装着し、内視鏡の内部と外部とを連通した状態で行う。
【０００６】
また、過酸化水素ガスプラズマ滅菌では、その効果をより高めるために、過酸化水素ガスの湿度が、比較的高くなるよう調製して使用される。
【０００７】
このようなことから、内視鏡の内部と外部とを連通した状態で過酸化水素ガスプラズマ滅菌を行うと、湿気を帯びた過酸化水素ガスが内視鏡の内部に侵入し、水分が貯留してしまうことがある。この場合、前記固体潤滑剤が、水分を吸収すると、固化し、本来の減摩効果が損なわれるという問題がある。また、内視鏡を高湿熱帯地域で使用する場合には、特に、内視鏡内部に水分が溜まり易く、固体潤滑剤の減摩効果はより急速に失われてしまうという問題がある。このように潤滑剤の減摩効果が損なわれてしまうと、可撓管や湾曲部を湾曲させる際に生じる摩擦によって、ライトガイドやイメージガイドを構成する光学繊維（光ファイバー）が、損傷、破損してしまうおそれがある。
【０００８】
また、潤滑剤の吸湿により、光学繊維にヤケ等による劣化が生じるという問題もある。
【０００９】
【発明が解決しようとする課題】
本発明の目的は、例えば滅菌処理等に際して、高湿度の環境下に曝された場合でも、内視鏡の通気弁から内部へ水分が侵入するのを有効に防止することができる内視鏡用アダプタを提供することにある。
【００１０】
【課題を解決するための手段】
このような目的は、下記（１）〜（２０）の本発明により達成される。
【００１１】
（１）　内視鏡の通気弁を開通させる際に該通気弁に装着する内視鏡用アダプタであって、
前記通気弁に装着される本体部と、
前記通気弁の弁体を押圧して移動させる押圧部材とを有し、
前記押圧部材は、その少なくとも一部に、水分子を結晶水として分子構造内に取り込み得る吸湿物質を主成分とする乾燥剤を含有することを特徴とする内視鏡用アダプタ。
【００１２】
これにより、例えば滅菌処理等に際して、高湿度の環境下に曝された場合でも、内視鏡の通気弁から内部へ水分が侵入するのを有効に防止することができる内視鏡用アダプタを提供することができる。
【００１３】
（２）　前記押圧部材は、取替え可能である上記（１）に記載の内視鏡用アダプタ。
これにより、内視鏡用アダプタにかかるコストの低減を図ることができる。
【００１４】
（３）　前記押圧部材は、前記乾燥剤の吸湿に伴って、その色が変化し得るよう構成されている上記（１）または（２）に記載の内視鏡用アダプタ。
これにより、押圧部材の吸湿の程度を目視により確認することができる。
【００１５】
（４）　前記本体部の前記通気弁から流出入する気体が通過する部分に設置され、気体を透過させ液体を遮断する機能を有するフィルターを有する上記（１）ないし（３）のいずれかに記載の内視鏡用アダプタ。
【００１６】
これにより、内視鏡用アダプタを通気弁に装着した状態で誤って洗浄したような場合であっても、洗浄水等の液体が内視鏡の内部に侵入するのを防止することができる。
【００１７】
（５）　前記フィルターは、その少なくとも一部に、前記乾燥剤を含有する上記（４）に記載の内視鏡用アダプタ。
【００１８】
これにより、例えば滅菌処理等に際して、内視鏡の通気弁から内部へ水分が侵入するのを防止する効果が特に優れたものとなる。
【００１９】
（６）　内視鏡の通気弁を開通させる際に該通気弁に装着する内視鏡用アダプタであって、
前記通気弁に装着される本体部と、
前記本体部の前記通気弁から流出入する気体が通過する部分に設置されたフィルターとを有し、
前記フィルターは、その少なくとも一部に、水分子を結晶水として分子構造内に取り込み得る吸湿物質を主成分とする乾燥剤を含有することを特徴とする内視鏡用アダプタ。
【００２０】
これにより、例えば滅菌処理等に際して、高湿度の環境下に曝された場合でも、内視鏡の通気弁から内部へ水分が侵入するのを有効に防止することができる内視鏡用アダプタを提供することができる。
【００２１】
（７）　前記フィルターは、前記吸湿物質を含有する吸湿層と、前記吸湿層の少なくとも片面側に設けられ、気体を透過させ液体を遮断する撥水層とを有する上記（５）または（６）に記載の内視鏡用アダプタ。
【００２２】
これにより、フィルターの外側に液体が接触した場合でも、吸湿層が液体を吸って膨潤したり、乾燥剤の吸湿能力が低下したりするのを防止することができる。
【００２３】
（８）　前記撥水層は、フッ素系樹脂で構成された多孔質体である上記（７）に記載の内視鏡用アダプタ。
これにより、高い気体透過性および撥水性を有する撥水層が得られる。
【００２４】
（９）　前記多孔質体は、フッ素系樹脂の繊維の集合体である上記（８）に記載の内視鏡用アダプタ。
これにより、より高い気体透過性および撥水性を有する撥水層が得られる。
【００２５】
（１０）　前記フィルターは、前記乾燥剤の吸湿に伴って、その色が変化し得るよう構成されている上記（５）ないし（９）のいずれかに記載の内視鏡用アダプタ。
これにより、フィルターの吸湿の程度を目視により確認することができる。
【００２６】
（１１）　前記本体部には、前記通気弁から流出入する気体が通過する通気孔が形成され、
前記フィルターは、板状をなし、前記通気孔を塞ぐように設置されている上記（２）ないし（１０）のいずれかに記載の内視鏡用アダプタ。
【００２７】
これにより、スペースを取らずに設置することができ、内視鏡用アダプタの小型化に寄与する。
【００２８】
（１２）　前記フィルターは、取替え可能である上記（２）ないし（１１）のいずれかに記載の内視鏡用アダプタ。
これにより、内視鏡用アダプタにかかるコストの低減を図ることができる。
【００２９】
（１３）　前記本体部は、キャップ状をなし、前記通気弁を覆うように装着される上記（１）ないし（１２）のいずれかに記載の内視鏡用アダプタ。
これにより、内視鏡の通気弁に対し容易かつ確実に装着することができる。
【００３０】
（１４）　前記本体部と前記通気弁との間の気密性を確保するシール部材を有する上記（１）ないし（１３）のいずれかに記載の内視鏡用アダプタ。
【００３１】
これにより、通気弁に流入するガスがより確実に所定の流路を通過するようになる。
【００３２】
（１５）　前記本体部には、前記通気孔が複数形成されている上記（１）ないし（１４）のいずれかに記載の内視鏡用アダプタ。
【００３３】
これにより、内視鏡の内外での気体の流出入が円滑になされるので、滅菌処理に先立って滅菌槽内を真空状態（減圧状態）にした場合でも、内視鏡の柔軟な部分が膨張して損傷、破裂するようなことがより確実に防止される。
【００３４】
（１６）　前記乾燥剤の含有量は、１〜４０ｗｔ％である上記（１）ないし（１５）のいずれかに記載の内視鏡用アダプタ。
【００３５】
これにより、押圧部材やフィルターの成形性を低下させることなく、内視鏡の内部への水分の侵入を好適に防止することができる。
【００３６】
（１７）　前記乾燥剤は、粉末である上記（１）ないし（１６）のいずれかに記載の内視鏡用アダプタ。
【００３７】
これにより、押圧部材やフィルターの構成材料への乾燥剤の混練をより容易かつ確実に行うことができるとともに、構成材料へより均一に混合する（分散させる）ことができる。
【００３８】
（１８）　前記乾燥剤の平均粒径は、１〜３０μｍである上記（１７）に記載の内視鏡用アダプタ。
【００３９】
これにより、その比表面積を十分に確保することができ、吸湿能力がより向上する。
【００４０】
（１９）　前記吸湿物質は、硫酸マグネシウムである上記（１）ないし（１８）のいずれかに記載の内視鏡用アダプタ。
【００４１】
硫酸マグネシウムは、吸湿能力に優れ、各種樹脂材料への分散性が良好であり、吸湿によって腐食性・潮解性等を示さない、また、破砕が生じ難く、ダストの発生が極めて少ない。
【００４２】
（２０）　前記硫酸マグネシウムは、ＭｇＳＯ４・ｎＨ２Ｏ（ただし、０≦ｎ≦３）で表される上記（１９）に記載の内視鏡用アダプタ。
これらの硫酸マグネシウムは、特に吸湿能力に優れている。
【００４３】
【発明の実施の形態】
以下、本発明の内視鏡用アダプタを添付図面に示す好適な実施形態に基づいて詳細に説明する。
図１は、本発明の内視鏡用アダプタの実施形態を示す半縦断面図、図２は、図１に示す内視鏡用アダプタを内視鏡の通気弁に装着した状態を示す縦断面図、図３は、フィルターの断面図、図４は、内視鏡の平面図である。なお、以下の説明では、図１および図２中の上側を「上」、下側を「下」と言う。
【００４４】
本発明の内視鏡用アダプタを説明する前に、まず、図４に基づいて、本発明の内視鏡用アダプタが装着される対象となる内視鏡について説明する。
【００４５】
図４に示す医療用の内視鏡（ファイバースコープ）１０は、可撓性を有する長尺の挿入部可撓管１１と、該挿入部可撓管１１の先端側に設けられた湾曲部（湾曲管）１２と、挿入部可撓管１１の基端側に設けられ、術者が把持して内視鏡１０全体を操作する操作部１３と、該操作部１３の基端側に設けられ、被写体の像を直接観察する接眼部１４と、光源装置（図示せず）に着脱可能に装着される光源差込部１６と、操作部１３と光源差込部１６とを接続する可撓性を有する長尺の接続部可撓管１５と、光源差込部１６に設置された通気弁１８とを備えている。
【００４６】
挿入部可撓管１１と湾曲部１２とは、生体の管腔内に挿入する挿入部を構成するものである。挿入部可撓管１１および湾曲部１２の内部（中空部）には、例えば、光ファイバー、電線ケーブル、ケーブル、またはチューブ類等の長尺内蔵物（図示せず）が配置、挿通されている。
【００４７】
これらの長尺内蔵物の外周（周囲）には、潤滑剤（固体潤滑剤）として、例えば二硫化モリブデン、窒化ホウ素、フッ素系樹脂等の粉末が配されている。これにより、挿入部可撓管１１が体腔に挿入されて湾曲したときにこれらの長尺内蔵物同士の間に生じる摩擦や押圧力を低減することができ、これらの長尺内蔵物を保護することができる。また、挿入部可撓管１１や湾曲部１２の湾曲抵抗の増大も防止することができる。
【００４８】
挿入部可撓管１１と接続部可撓管１５とは、それぞれ、中空部を有する（管状の）芯材の外周を外皮で被覆した内視鏡用可撓管で構成されている。内視鏡用可撓管の外皮は、例えば各種ゴム材料や各種樹脂材料等の可撓性を有する材料で構成されている。
【００４９】
湾曲部１２は、互いに回動自在に連結された複数（多数）の節輪と、該節輪の外周に被覆された網状管と、該網状管の外周に被覆された外皮とで構成されており、湾曲可能になっている。この湾曲部１２の外皮（湾曲ゴム）は、例えば各種ゴム材料等の柔軟な弾性材料で構成されている。
【００５０】
操作部１３には、操作レバー１７が設置されている。この操作レバー１７を操作すると、挿入部可撓管１１内に配設されたワイヤー（図示せず）が牽引されて、湾曲部１２が２方向（または４方向）に湾曲し、その湾曲方向および湾曲度合いを遠隔操作することができる。
【００５１】
光源差込部１６は、ほぼ有底筒状をなすハブ１６１と、該ハブ１６１の底部から先端側に延びるように設置された光源用コネクタ１６２とを有している。内視鏡１０の使用時には、この光源用コネクタ１６２を光源装置（図示せず）の差込穴に差し込むことにより、内視鏡１０と光源装置とが光学的に接続される。
【００５２】
そして、光源装置に内蔵された光源から発せられた光は、光源用コネクタ１６２内、ハブ１６１内、接続部可撓管１５内、操作部１３内、挿入部可撓管１１内および湾曲部１２内に連続して配設された光ファイバー束によるライトガイド（図示せず）を通り、湾曲部１２の先端部１２１より観察部位に照射され、照明する。
【００５３】
前記照明光により照明された観察部位からの反射光（被写体像）は、湾曲部１２内、挿入部可撓管１１内および操作部１３内に連続して配設された光ファイバー束によるイメージガイド（図示せず）を通り、接眼部１４へ伝達される。
【００５４】
接眼部１４の内部には、接眼レンズ（図示せず）が設置され、イメージガイド内を通って到達した反射光がこの接眼レンズを通して観察される。
【００５５】
なお、本発明の内視鏡用アダプタ１は、内視鏡１０のようなファイバー内視鏡に限らず、電子内視鏡等の各種の内視鏡に装着して使用するものに適用することができるのは言うまでもない。
【００５６】
内視鏡１０の各部同士は、例えばパッキンやＯリング等のシール部材を用いて気密的（液密的）に接合（連結）されている。
【００５７】
光源差込部１６には、内視鏡１０の内部と外部とを連通し得る通気弁１８が設けられている。以下、この通気弁１８について説明する。
【００５８】
図２に示すように、通気弁１８は、ハブ１６１から突出するように設けられた略円筒状の内筒部材（ケーシング）１８１と、該内筒部材１８１の上側の外周に螺合して固定された略円筒状の外筒部材（ケーシング）１８２と、内筒部材１８１および外筒部材１８２の内部で上下方向に移動可能に設置された弁体１８３と、該弁体１８３を上方に付勢するコイルバネ１８４とを有している。
【００５９】
内筒部材１８１および外筒部材１８２の内腔は、内視鏡１０の内部と外部とを連通する通気路となるものである。外筒部材１８２の下端部には、径方向外方へ向けて突出する係合ピン１８８が設置されている。
【００６０】
弁体１８３は、上端部に傘状部（円錐台状部）を有する略キノコ形状をなしており、該傘状部の外側には、シールリング１８５が設置されている。
【００６１】
外筒部材１８２の上端部には、開口１８６が形成されている。また、外筒部材１８２の上端部の内面（下面）１８７は、弁体１８３の傘状部に対応したすり鉢状（円錐台状）をなしている。
【００６２】
このような通気弁１８は、本発明の内視鏡用アダプタ１を装着していない状態（この状態は図示せず）では、コイルバネ１８４の付勢力により、弁体１８３の傘状部（シールリング１８５）が内面１８７に圧接されることにより、開口１８６が閉塞（遮断）され、閉状態となる。内視鏡１０を使用する際や、洗浄する際などには、この状態で行う。これにより、洗浄水などが通気弁１８から内視鏡１０の内部に侵入するのを防止することができる。
【００６３】
そして、通気弁１８は、図２に示すように、内視鏡用アダプタ１を装着することにより、開通し（開状態になり）、内視鏡１０の内部と外部とを連通する状態となる。内視鏡１０を、例えば過酸化水素ガスプラズマ滅菌等により滅菌処理を施す際には、この状態で行う。これにより、ガスプラズマ滅菌装置（図示せず）において、内視鏡１０を収容した滅菌槽内が過酸化水素ガスの導入に先立って真空状態（減圧状態）にされたとき、内視鏡１０の内部と外部との圧力差が生ずることがない。その結果、例えば湾曲部１２の外皮などの内視鏡１０の柔軟な部分が膨張して損傷、破裂するようなことが防止される。
【００６４】
以下、図１および図２に基づいて、本発明の内視鏡用アダプタについて説明する。
【００６５】
図１に示すように、内視鏡用アダプタ１は、本体部２と、フィルター３と、シールリング４とを有している。
【００６６】
本体部２は、ほぼ円筒状（管状）の第１部材２１と、第１部材２１の上端開口を覆う第２部材２２と、第１部材２１の上端部の内側に設置された第３部材２３とで構成されている。この本体部２は、全体形状としてほぼキャップ状（蓋状）をなしており、通気弁１８に被せるように装着される。このような構成により、内視鏡用アダプタ１を通気弁１８に対し容易かつ確実に装着することができる。
【００６７】
第１部材２１の下側の部分の壁部には、通気弁１８の係合ピン１８８が挿入するほぼＬ字状の案内溝（切欠き）２１１が形成されている。内視鏡用アダプタ１を通気弁１８に被せ、所定角度回転すると、係合ピン１８８が案内溝２１１内を移動し、これにより、内視鏡用アダプタ１が通気弁１８に装着・固定される。また、逆の操作を行うことにより、内視鏡用アダプタ１を通気弁１８から取り外すことができる。
【００６８】
第１部材２１の外周部には、ローレット（微小な凹凸）２１２が形成されている。このローレット２１２は、内視鏡用アダプタ１を把持したときの手の滑り止めとして機能する。
【００６９】
第２部材２２は、円筒状の嵌合部２２１と、頂部２２２とを有し、上下方向に短い有底円筒状をなしている。第１部材２１の上端部は、嵌合部２２１の内側に挿入（嵌入）している。
【００７０】
頂部２２２には、通気孔２２３が形成されている。通気弁１８から流出入する気体は、この通気孔２２３を通過する。本実施形態では、通気孔２２３は、周方向に沿って４つ形成されているが、この個数は何個でもよい。
【００７１】
頂部２２２の上側には、板状の突出部２２４が一体的に形成されている。突出部２２４には、孔２２５が形成されており、この孔２２５にチェーン（接続部材）９の一端が接続されている。内視鏡用アダプタ１は、チェーン９の他端を例えば内視鏡１０に接続しておくことにより、取り扱い時の落下、紛失等を防止することができる。
【００７２】
第３部材（押圧部材）２３は、通気弁１８の弁体１８３を押圧して移動させる機能を有している。この第３部材２３は、ほぼ円板状をなし、本実施形態では、第１部材２１の上端部の内側に圧入により固定されている。これにより、第３部材２３は、第１部材２１に対して着脱可能（すなわち、取替え可能）となっている。
【００７３】
この第３部材２３には、通気弁１８から流出入する気体が通過する複数の通気孔２３２が形成されている。
【００７４】
このように、本体部２に、複数の通気孔２２３、２３２を設けることにより、内視鏡１０の内外での気体の流出入が円滑になされるので、滅菌処理に先立って滅菌槽内を真空状態（減圧状態）にした場合でも、内視鏡１０の柔軟な部分が膨張して損傷、破裂するようなことがより確実に防止される。
【００７５】
また、第３部材２３の中心部には、下方向に突出し、通気弁１８の弁体１８３に当接する凸部（押圧部）２３１が形成されている。
【００７６】
頂部２２２の下面（下側）には、薄い板状（膜状）のフィルター３が設置されている。フィルター３は、第１部材２１の上端面と、頂部２２２の下面との間で挟持されることにより、固定されている。
【００７７】
通気孔２２３は、フィルター３により塞がれており、気体は、通気孔２２３を通過する際、フィルター３を透過する。このような構成により、フィルター３をスペースを取らずに設置することができ、内視鏡用アダプタ１の小型化に寄与する。
【００７８】
このフィルター３は、気体は透過させるが、液体は遮断する機能を有している。これにより、内視鏡用アダプタ１を通気弁１８に装着した状態で誤って洗浄したような場合であっても、洗浄水等の液体が内視鏡１０の内部に侵入するのを防止することができる。
【００７９】
また、本実施形態では、第１部材２１と第２部材２２とは、例えば螺合により固定されており、第２部材２２が第１部材２１に対して着脱自在となっている。これにより、フィルター３は、取替え可能となっている。
【００８０】
第１部材２１の内周部には、シールリング（シール部材）４が設けられている。内視鏡用アダプタ１を通気弁１８に装着した状態（図２に示す状態）では、外筒部材１８２の外周面がシールリング４の内周に密着して、気密性が確保される。これにより、通気弁１８から内視鏡１０の内部にガスが流入する場合、このガスがより確実に所定の流路を通過するようになる。
【００８１】
図２に示すように、このような内視鏡用アダプタ１を通気弁１８に装着すると、第３部材（押圧部材）２３の凸部２３１が弁体１８３を押圧することにより、弁体１８３がコイルバネ１８４の付勢力に抗して下方向に移動する。これにより、弁体１８３の傘状部が内面１８７から離間した状態となり、通気弁１８が開通する（開状態となる）。この状態では、内視鏡１０の内部と外部とが連通し、気体が通気孔２２３、通気孔２３２、開口１８６を通過して内視鏡１０の内部へ流入または内視鏡１０の内部から外部へ流出することができる。
【００８２】
さて、このような内視鏡用アダプタ１を装着した内視鏡１０を、例えば過酸化水素ガスプラズマ滅菌等により滅菌処理を施した場合、過酸化水素を含むガス（気体）が滅菌槽内に導入されると、このガスは、通気孔２２３、通気孔２３２および通気弁１８を通過して、内視鏡１０の内部にも流入する。
【００８３】
そして、このガスは、滅菌の効果をより高めるために、比較的高い湿度となるよう調製されている。このため、繰り返し施される滅菌処理により、内視鏡１０の内部に水分が貯留する場合があり、この場合、前述したような潤滑剤（固体潤滑剤）が、水分を吸収（吸湿）・固化して、本来の減摩効果が損なわれる。また、このような現象は、内視鏡１０を、高湿熱帯地域で使用する場合に、特に顕著に現れる。
【００８４】
そこで、本発明の内視鏡用アダプタ１では、前記第３部材（押圧部材）２３および／または前記フィルター３が乾燥剤５を含有する構成とした。本実施形態の内視鏡用アダプタ１では、第３部材（押圧部材）２３およびフィルター３の双方が、それぞれ、乾燥剤５を含有している。
【００８５】
このような構成により、内視鏡１０内にガスが流入する際に、このガスは、フィルター３および第３部材２３に接触し、その際、ガス中に含まれる水分が乾燥剤５により効率よく除去（除湿）される。これにより、内視鏡１０の内部に水分が侵入するのを防止することができる。特に、本実施形態では、第３部材（押圧部材）２３およびフィルター３の双方が、乾燥剤５を含有することにより、内視鏡１０の内部への水分の侵入を防止する効果が特に優れたものとなる。
【００８６】
その結果、前述したような不都合、すなわち、潤滑剤（固体潤滑剤）が、水分を吸収（吸湿）・固化して、本来の減摩効果が損なわれてしまうことが防止され、挿入部可撓管１１や湾曲部１２の湾曲抵抗の増大、これに伴う光ファイバーの損傷、破損等、あるいは、光ファイバーのヤケ等が効果的に防止される。
【００８７】
以下、乾燥剤５、第３部材２３およびフィルター３について、それぞれ説明する。
【００８８】
＜乾燥剤５＞
乾燥剤５は、水分子を結晶水として分子構造内に取り込み得る吸湿物質を主成分とするものである。かかる吸湿物質は、水分子をその分子構造内に非可逆的に取り込むため、単に水分子を吸着により保持する物質（例えば、シリカゲル、塩化カルシウム、ゼオライト等）と比べて、吸水量（吸湿量）が多く、すなわち、優れた吸湿能力（除湿効果）を有し、さらに、使用環境の変化（例えば温度変化等）によっても放湿し難い。このため、かかる吸湿物質を主成分とする乾燥剤５を用いることにより、内視鏡用アダプタ１を装着した状態で、内視鏡１０を、前述したような滅菌処理を繰り返し施した場合（高湿度の環境下に曝した）場合でも、内視鏡１０の内部への水分の侵入をより確実に防止することができる。
【００８９】
かかる吸湿物質としては、特に限定されないが、例えば、硫酸マグネシウム、酸化アルミニウム、酸化バリウム、酸化カルシウム、酸化ケイ素等が挙げられ、これらのうちの１種または２種以上を組み合わせて用いることができる。これらの中でも、吸湿物質としては、硫酸マグネシウムを用いるのが好適である。
【００９０】
硫酸マグネシウムは、次のような▲１▼〜▲４▼の利点を有する。
すなわち、▲１▼：吸湿能力（例えば、水分子の取り込み量や、取り込み速度等）に優れる。▲２▼：各種樹脂材料への分散性が良好であるため、第３部材２３やフィルター３の構成材料中への混合を容易に行うことができる。▲３▼：吸湿によって腐食性・潮解性等を示さないので、第３部材２３やフィルター３（吸湿層３１）に形状変化を生じさせることがない。▲４▼：破砕が生じ難く、ダストの発生が極めて少ない。
【００９１】
また、硫酸マグネシウムは、ＭｇＳＯ４・ｎＨ２Ｏ（ただし、０≦ｎ≦３）で表されるものが好ましい。すなわち、硫酸マグネシウムは、無水物、１水和物、２水和物、３水和物のうちの１種または２種以上を組み合わせて用いることができる。これらの硫酸マグネシウムは、特に吸湿能力に優れている。なお、硫酸マグネシウムとして、３水和物を超える水和物のものを用いると、乾燥剤５と第３部材２３やフィルター３の構成材料（以下、単に「材料」と言う。）とを混練（混合）する際に、その混練時の温度等によっては、硫酸マグネシウムから水分子（結晶水）が放出され、材料への混練が困難となる場合がある。
【００９２】
なお、乾燥剤５は、前記吸湿物質を主成分（例えば７０ｗｔ％以上）とするものであればよく、他の乾燥剤として使用される物質（例えば、シリカゲル等）を含むものであってもよい。
【００９３】
乾燥剤５の形状は、いかなるものであってもよいが、粉末であるのが好ましい。粉末の乾燥剤５を用いることにより、乾燥剤５の材料への混練をより容易かつ確実に行うことができるとともに、材料へより均一に混合する（分散させる）ことができる。
【００９４】
また、乾燥剤５が粉末である場合、その平均粒径は、特に限定されないが、１〜３０μｍ程度であるのが好ましく、２〜２０μｍ程度であるのがより好ましい。平均粒径が前記範囲の乾燥剤は、その比表面積を十分に確保することができ、吸湿能力がより向上する。
【００９５】
乾燥剤５の含有量は、特に限定されないが、１〜４０ｗｔ％程度であるのが好ましく、１〜２５ｗｔ％程度であるのがより好ましい。乾燥剤５の含有量が少なすぎると、内視鏡１０の滅菌処理の条件等によっては、その内部への水分の侵入を好適に防止することができない場合があり、一方、乾燥剤５の含有量が多すぎると、材料の種類等によっては、その溶融粘度が低下して、第３部材２３やフィルター３の成形が困難になる場合がある。
【００９６】
＜第３部材２３＞
第３部材２３は、前述したように、通気弁１８の弁体１８３を押圧して移動させる機能を有しており、樹脂材料、特に比較的硬質の樹脂材料で構成されているのが好ましく、その具体例としては、例えば、ポリエチレン、ポリプロピレン、ポリブタジエン、エチレン−酢酸ビニル共重合体等のポリオレフィン、ポリ塩化ビニル、ポリウレタン、ポリスチレン、ポリメチルメタクリレート、ポリカーボネート、ポリアミド、ポリエチレンテレフタレート、ポリブチレンテレフタレート等のポリエステル、アクリル系樹脂、ＡＢＳ樹脂、ＡＳ樹脂、アイオノマー、ポリアセタール、ポリフェニレンサルファイド、ポリエーテルエーテルケトン等が挙げられる。
【００９７】
なお、図示の構成では、乾燥剤５を、第３部材２３全体に均一に含有する（混合された）構成であるが、第３部材２３の各部で異なるもの、特に、その少なくとも内面付近に含有するものであればよい。この場合、第３部材２３には、乾燥剤５を含む層が形成されるが、かかる層における乾燥剤５の含有量を、前記範囲となるようにすればよい。
【００９８】
また、第３部材２３は、例えば塩化コバルトのような水分に感応して変色する化合物（図示せず）を含有し、乾燥剤５の吸湿に伴って色が変化し得るよう構成されているのが好ましい。すなわち、第３部材２３は、インジケータ機能を有しているのが好ましい。
【００９９】
第３部材２３をこのような構成とすることにより、例えば内視鏡１０のメンテナンスの際に、第３部材２３の変色により、第３部材２３（乾燥剤５）の吸湿の程度を目視により確認することができる。このとき、第３部材２３の変色度合いにより、第３部材２３の取替え時期を判断して、乾燥剤５が吸湿能力の限界を超えている場合には、第３部材２３を取り替えるようにすることができ、便利である。また、第３部材２３が取り替え可能であることにより、内視鏡用アダプタ１を構成する各部を繰り返し使用することができ、内視鏡用アダプタ１にかかるコストの低減を図ることもできる。
【０１００】
＜フィルター３＞
フィルター３は、図３に示すように、乾燥剤５を含有する吸湿層３１と、吸湿層３１の両面側にそれぞれ設置され、気体を透過させ液体を遮断する撥水層３２とを備えている。すなわち、フィルター３は、撥水層３２、吸湿層３１、撥水層３２の３層がこの順に積層された構成になっている。
【０１０１】
吸湿層３１は、乾燥剤５が、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド、ポリイミド、ポリアミドイミド、ポリカーボネート、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン樹脂、ポリウレタン等の各種樹脂材料のようなバインダー（吸湿層３１の構成材料）により固定されて構成されている。
【０１０２】
なお、かかる構成のフィルター３では、吸湿層３１における乾燥剤５の含有量を、前記範囲となるようにすればよい。
【０１０３】
また、吸湿層３１は、第３部材２３と同様に、インジケータ機能を有しているのが好ましい。これにより、第３部材２３で説明したのと同様の効果が得られる。
【０１０４】
吸湿層３１の厚さは、特に限定されないが、例えば、０．０５〜５ｍｍ程度、好ましくは０．１〜１ｍｍ程度とされる。
【０１０５】
撥水層３２は、フッ素系樹脂で構成された多孔質体（多孔質膜）であり、高い気体透過性および撥水性を有しており、気体は透過させるが、液体は遮断する。この撥水層３２は、フッ素系樹脂の繊維の集合体（例えば織布、不織布）で構成されているのが好ましい。これにより、より高い気体透過性および撥水性を有する撥水層３２が得られる。
【０１０６】
また、撥水層３２を構成するフッ素系樹脂としては、例えば、四フッ化エチレン樹脂（ポリテトラフルオロエチレン：ＰＴＦＥ）、四フッ化エチレン・六フッ化プロピレン共重合体（ＦＥＰ樹脂）、四フッ化エチレン・パーフルオロアルコキシエチレン共重合体（ＰＦＡ樹脂）、四フッ化エチレン・エチレン共重合体（ＥＴＦＥ樹脂）、ビニリデンフルオライド樹脂（ポリフッ化ビニリデン：ＰＶＤＦ）、ビニルフルオライド樹脂（ＰＶＦ樹脂）、クロロトリフルオロエチレン樹脂（ＣＴＦＥ樹脂）、エチレン−クロロトリフルオロエチレン樹脂（ＥＣＴＦＥ樹脂）が挙げられる。
【０１０７】
撥水層３２の厚さは、特に限定されないが、例えば、０．０１〜０．３ｍｍ程度、好ましくは０．０５〜０．１５ｍｍ程度とされる。
【０１０８】
なお、このような撥水層３２は、必要に応じて、省略することもできるが、吸湿層３１の少なくとも片面側、特に外面側（図２中の上面側）に設けられているのが好ましく、図示のように吸湿層３１の両面側に設けられているのがより好ましい。
【０１０９】
撥水層３２が吸湿層３１の外面側に設けられていると、フィルター３の外側に液体（水）が接触した場合でも、吸湿層３１が液体（水）を吸って膨潤したり、乾燥剤５の吸湿能力（除湿効果）が低下したりするのを防止することができる。
【０１１０】
また、吸湿層３１と撥水層３２とは、互いに結合していなくてもよく、別個のものが単に重ねられているような構成でもよい。
【０１１１】
また、フィルター３では、吸湿層３１や撥水層３２は、少なくとも通気孔２２３の位置に設けられていればよく、その他の部分が異なる材料で構成されていてもよい。
【０１１２】
また、内視鏡用アダプタ１では、フィルター３が複数枚重ねて設けられていてもよい。この場合、複数のフィルター３は、互いに接触していても離間していてもよい。
【０１１３】
以上、本発明の内視鏡用アダプタを図示の実施形態について説明したが、本発明は、これに限定されるものではなく、内視鏡用アダプタを構成する各部材（各部）は、同様の機能を発揮し得る任意の構成のものと置換することができる。また、任意の構成物が付加されていてもよい。
【０１１４】
また、フィルターは、内視鏡の通気弁から流出入する気体が通過する部分であれば、内視鏡用アダプタのいかなる個所に設置されていてもよい。
【０１１５】
また、フィルターの形状（形態）は、板状（膜状）のものに限らず、例えば円柱状、直方体状の多孔質体のものや、容器内に乾燥剤を充填したようなものなどであってもよい。
【０１１６】
また、押圧部材およびフィルターは、いずれか一方のみが乾燥剤を含有する構成であってもよい。
【０１１７】
【実施例】
以下、本発明の具体的実施例について説明する。
（実施例１）
まず、乾燥剤として、ＭｇＳＯ４・２Ｈ２Ｏで構成された粉末（平均粒径５μｍ）を用意した。
【０１１８】
次に、この乾燥剤を含有するポリカーボネートを用いて、第３部材を作製した。
【０１１９】
また、この乾燥剤にポリエチレンを加え、加熱・圧縮して成形し、シート状の吸湿層（厚さ０．５ｍｍ）を得、この吸湿層の両面側に、それぞれ、厚さ０．０８ｍｍのＰＴＦＥ製多孔質膜（ＡＤＶＡＮＴＥＣ社製、メンブランフィルター）よりなる撥水層を積層してフィルターを作製した。
【０１２０】
なお、第３部材および吸湿層における乾燥剤の含有量は、それぞれ、１ｗｔ％とした。
【０１２１】
また、ポリカーボネート中には、ポリカーボネート１００重量部に対して１重量部となるように、また、ポリエチレン中には、ポリエチレン１００重量部に対して１重量部となるように、それぞれ、無水塩化コバルトを混合した。
【０１２２】
これらの第３部材およびフィルターを用いて、図１ないし図３に示すような内視鏡用アダプタを作製した。
【０１２３】
（実施例２、３）
第３部材およびフィルターの乾燥剤の含有量を、それぞれ、表１に示すように変更したこと以外は、前記実施例１と同様にして内視鏡用アダプタを作製した。
【０１２４】
（実施例４〜１８）
第３部材およびフィルターに用いる乾燥剤の種類を、それぞれ、表１に示すように変更した以外は、前記実施例２と同様にして内視鏡用アダプタを作製した。
【０１２５】
（実施例１９）
乾燥剤を含有しないフィルターを用いたこと以外は、前記実施例２と同様にして内視鏡用アダプタを作製した。
【０１２６】
（実施例２０）
フィルターを省略したこと以外は、前記実施例２と同様にして内視鏡用アダプタを作製した。
【０１２７】
（実施例２１）
乾燥剤を含有しない第３部材を用いたこと以外は、前記実施例２と同様にして内視鏡用アダプタを作製した。
【０１２８】
（実施例２２）
撥水層を有さないフィルター、および、乾燥剤を含有しない第３部材を用いたこと以外は、前記実施例２と同様にして内視鏡用アダプタを作製した。
【０１２９】
（比較例１〜３）
第３部材およびフィルターに用いる乾燥剤の種類を、それぞれ、表１に示すように変更した以外は、前記実施例２と同様にして内視鏡用アダプタを作製した。
【０１３０】
（比較例４）
いずれも乾燥剤を含有しない第３部材およびフィルターを用いたこと以外は、前記実施例１と同様にして内視鏡用アダプタを作製した。
【０１３１】
［評価］
各実施例および各比較例で作製した内視鏡用アダプタに対して、それぞれ、以下の評価試験を行った。
【０１３２】
［滅菌処理による評価］
図２に示す構造の通気弁を有する気管支用ファイバー内視鏡（旭光学工業株式会社製、型式「ＦＢ−１５Ｖ型」）を、各内視鏡用アダプタに対して、それぞれ用意した。なお、この内視鏡には、その内部の長尺内蔵物の周囲に潤滑剤として、二硫化モリブデン粉末（平均粒径２μｍ）を配した。
【０１３３】
これらの内視鏡の通気弁に、それぞれ、各内視鏡用アダプタを装着した。
これらのものを、それぞれ真空槽に入れ、真空槽内をほぼ真空に減圧した後、エチレンオキサイドガス（濃度：１００％、湿度：７０％ＲＨ）を導入する滅菌処理を１００回繰り返して行った。
【０１３４】
なお、１回の滅菌処理のエチレンオキサイドガス導入時間（滅菌処理時間）は、２時間４５分とした。
【０１３５】
そして、各内視鏡について、それぞれ、アングル力量（湾曲部を湾曲させる湾曲操作にかかる負荷）の変化を確認し、その変化を、以下の４段階の基準に従って評価した。
◎：滅菌処理１００回後も、アングル力量に変化なし
○：滅菌処理１００回後に、若干のアングル力量の増大あり
△：滅菌処理８０回程度から、アングル力量の増大あり
×：滅菌処理５０回程度から、アングル力量の増大あり
【０１３６】
［高湿度環境下放置による評価］
図２に示す構造の通気弁を有する気管支用ファイバー内視鏡（旭光学工業株式会社製、型式「ＦＢ−１５Ｖ型」）を、各内視鏡用アダプタに対して、それぞれ用意した。なお、この内視鏡は、その内部の長尺内蔵物の周囲に潤滑剤として、窒化ホウ素粉末（平均粒径３μｍ）と４フッ化エチレン粉末（平均粒径４μｍ）との混合物を配した。また、窒化ホウ素粉末と４フッ化エチレン粉末とは、重量比で７０：３０となるように混合した。
【０１３７】
これらの内視鏡の通気弁に、それぞれ、各内視鏡用アダプタを装着した。
これらのものを、それぞれ保湿容器に入れ、高湿度環境（温度：４０℃、湿度：９０％ＲＨ）下に、２００時間放置した。
【０１３８】
そして、各内視鏡について、それぞれ、１０時間経過毎に、アングル力量（湾曲部を湾曲させる湾曲操作にかかる負荷）の変化を確認し、その変化を、以下の４段階の基準に従って評価した。
◎：高湿度下に２００時間放置後も、アングル力量に変化なし
○：高湿度下に２００時間放置後に、若干のアングル力量の増大あり
△：高湿度下に１００時間程度放置後から、アングル力量の増大あり
×：高湿度下に５０時間程度放置後から、アングル力量の増大あり
これらの結果を表１に示す。
【０１３９】
【表１】
2004073258.tif 000003
【０１４０】
表１に示すように、実施例１〜２２の内視鏡（本発明の内視鏡）は、いずれもアングル力量の増加が防止され、繰り返し施される滅菌処理に耐え得るものであった。
【０１４１】
また、実施例１〜２２の内視鏡を分解して、潤滑剤の状態を確認した結果、吸湿により固化した潤滑剤は、確認されなかった。さらに、光ファイバーの中に、折れやヤケが生じているものも確認されなかった。
【０１４２】
また、実施例１〜２２の内視鏡を分解して、第３部材やフィルターの色を確認したところ、変色が確認され、乾燥剤による吸湿も良好に行われていることが確認された。
【０１４３】
これに対し、比較例１〜４の内視鏡は、いずれも滅菌処理を繰り返すこと、または、高湿度下に長時間放置することにより、早い段階でアングル力量が増大し、湾曲部の湾曲操作を円滑に行うことができないようになった。
【０１４４】
また、比較例１〜４の内視鏡を分解して、潤滑剤の状態を確認した結果、潤滑剤は、吸湿により固化していた。さらに、光ファイバーの中に、折れやヤケが生じているものが多数確認された。
【０１４５】
【発明の効果】
以上述べたように、本発明によれば、例えば滅菌処理等に際して、高湿度の環境下に曝された場合でも、乾燥剤の除湿効果により、内視鏡の通気弁から内部へ水分が侵入するのを有効に防止することができる。その結果、内視鏡の内部に配された潤滑剤の吸湿、固化を防止することができ、よって、内視鏡に、例えば湾曲抵抗の増大、損傷、破損等が生じるのを防止することができる。
【０１４６】
また、乾燥剤として、水分子を結晶水として分子構造内に取り込み得る吸湿物質、特に、硫酸マグネシウムを主成分とするものを用いることにより、前記効果がより向上する。
【図面の簡単な説明】
【図１】本発明の内視鏡用アダプタの実施形態を示す半縦断面図である。
【図２】図１に示す内視鏡用アダプタを内視鏡の通気弁に装着した状態を示す縦断面図である。
【図３】フィルターの断面図である。
【図４】内視鏡の平面図である。
【符号の説明】
１　　　　　　内視鏡用アダプタ
２　　　　　　本体部
２１　　　　　第１部材
２１１　　　　案内溝
２１２　　　　ローレット
２２　　　　　第２部材
２２１　　　　嵌合部
２２２　　　　頂部
２２３　　　　通気孔
２２４　　　　突出部
２２５　　　　孔
２３　　　　　第３部材
２３１　　　　凸部
２３２　　　　通気孔
３　　　　　　フィルター
３１　　　　　吸湿層
３２　　　　　撥水層
４　　　　　　シールリング
５　　　　　　乾燥剤
９　　　　　　チェーン
１０　　　　　内視鏡
１１　　　　　挿入部可撓管
１２　　　　　湾曲部
１２１　　　　先端部
１３　　　　　操作部
１４　　　　　接眼部
１５　　　　　接続部可撓管
１６　　　　　光源差込部
１６１　　　　ハブ
１６２　　　　光源用コネクタ
１７　　　　　操作レバー
１８　　　　　通気弁
１８１　　　　内筒部材
１８２　　　　外筒部材
１８３　　　　弁体
１８４　　　　コイルバネ
１８５　　　　シールリング
１８６　　　　開口
１８７　　　　内面
１８８　　　　係合ピン
【図１】
2004073258.tif 000004
【図２】
2004073258.tif 000005
【図３】
2004073258.tif 000006
【図４】
2004073258.tif 000007